(57)【特許請求の範囲】
【請求項１】
メモリーカードが収容されるカードトレイと、該カードトレイが挿入されるトレイ挿入部を有するハウジングと、前記トレイ挿入部内に突出して前記カードトレイに収容されたメモリーカードの信号端子と接触する複数のコンタクトとを備えてなるトレイ式カードコネクタにおいて、
前記カードトレイは、前記メモリーカードが収容されるトレイ本体と、該トレイ本体のトレイ引き出し方向側端部に該トレイ本体に対し引き出し可能に接合させたスライド摘みと、前記トレイ本体より所定の引き出し位置まで引き出された前記スライド摘みに作用するトレイ引き出し方向の力を前記トレイ本体に伝達する伝達手段とを備え、
前記トレイ本体より前記所定の引き出し位置まで引き出したスライド摘みを摘まんで前記カードトレイを前記ハウジングより引き出せるようにしたことを特徴としてなるトレイ式カードコネクタ。
【請求項２】
前記トレイ本体又は前記スライド摘みの何れか一方の接合端部に他方側に向けて開口した接合凹部を備えるとともに、他方の接合端部に前記接合凹部内に挿入される接合凸部を備え、
前記伝達手段は、前記接合凹部又は接合凸部の何れか一方に支持させた棒状の当て止め部材と、他方に該当て止め部材が挿入されるトレイ挿抜方向に向けた長孔状に形成されたスライド孔とをもって構成され、該スライド孔のトレイ挿抜方向端部内縁に前記当て止め部材が当接することにより前記スライド摘みに作用するトレイ引き出し方向の力を前記トレイ本体に伝達するようにしてなる請求項１に記載のトレイ式カードコネクタ。
【請求項３】
前記スライド摘みは、外縁部に爪を引っ掛ける為の引掛け部を備えてなる請求項１又は２に記載のトレイ式カードコネクタ。
【請求項４】
前記スライド摘みは、引き出し方向側端部に電子機器筐体に形成された露出窓を通して該電子機器筐体の外側面に露出される前縁蓋部を一体に備えてなる請求項１、２又は３に記載のトレイ式カードコネクタ。
【請求項５】
前記前縁蓋部は、外側縁部に前記露出窓の内縁部と互いに係合する係合部材を備えてなる請求項４に記載のトレイ式カードコネクタ。
【請求項６】
前記前縁蓋部及び／又は係合部材は、弾性を有する樹脂材、ゴム材又は金属材をもって形成された請求項５に記載のトレイ式カードコネクタ。
【発明の詳細な説明】
【技術分野】
【０００１】
本発明は、ＩＣカードやフラッシュメモリーカード等のメモリーカードと携帯電話機やスマートフォン等の電子機器に搭載されたプリント配線基板とを電気的に接続するトレイ式カードコネクタに関する。
【背景技術】
【０００２】
従来、携帯電話機やスマートフォン等の電子機器の外部記憶媒体としてＩＣカードやフラッシュメモリーカード等のメモリーカードが使用されており、このメモリーカードと電子機器に搭載されたプリント配線基板とは、カードコネクタを介して電気的に接続されている。
【０００３】
この種のカードコネクタには、メモリーカードを収容可能なカードトレイと、カードトレイが挿入されるトレイ挿入部を有するハウジングと、トレイ挿入部内に突出して前記カードトレイに収容されたメモリーカードの信号端子と接触する複数のコンタクトと、ハウジングよりカードトレイを排出させる取出し機構とを備えてなるトレイ式カードコネクタが使用されている。
【０００４】
このトレイ式カードコネクタは、カードトレイ前縁部が電子機器筐体の外側面に露出された状態に電子機器に取り付けられ、取出し機構によりカードトレイをハウジングより排出させることにより機器筐体の外側面より引き出し方向に突出させ、それを更に引き出すことにより電子機器の外部からカードトレイに対するメモリーカードの出し入れができるようになっている。
【０００５】
取出し機構としては、ハウジングのカード挿抜方向奥側に回動可能に支持された押出アームを備え、プッシュピンで押出しアームの一方の端部を押し込むことにより押出アームを回動させ、アームの他端側でカードトレイの奥側縁を排出方向に押し出すようにしたものが知られている（例えば、特許文献１を参照）。
【０００６】
また、他の取出し機構としては、ハートカム等を使用したプッシュイン・プッシュアウト機構を備え、最初のカード押し込み動作でカードトレイをハウジングの所定位置で保持させ、再度押し込むことにより保持力が解除されて押し出しバネにより引き出し方向に押し出されるようにしたものがある（例えば、特許文献２を参照）。
【先行技術文献】
【特許文献】
【０００７】
【特許文献１】特開２００８−１０８６９５号公報
【特許文献２】特開２００３−３１７８６１号公報
【発明の概要】
【発明が解決しようとする課題】
【０００８】
しかしながら、上述の如き従来のプッシュピンを使用したトレイ式カードコネクタでは、プッシュピンをトレイ式カードコネクタと別体とすると、プッシュピン又はその代用品が無いとカードトレイをハウジングから取り出すことができず、不便であるという問題があり、トレイ式カードコネクタにプッシュピンを一体的に備えた構造とするとその分コネクタ全体の外形が大きくなり、コネクタがプリント配線基板に占める面積が大きくなり電子機器の小型化を阻害する虞があった。
【０００９】
また、上述の如きプッシュイン・プッシュアウト機構の場合には、ハートカム等の構造を有するため、その分コネクタ全体の外形が大きくなり、コネクタがプリント配線基板に占める面積が大きくなり電子機器の小型化を阻害する虞があり、また、部品点数が多く、複雑な構造のためコストが嵩むという問題があった。
【００１０】
そこで、本発明は、このような従来の問題に鑑み、プッシュピン等の部品を必要とせず、且つ簡易な構造で好適にカードトレイをハウジングより引き出すことができるトレイ式カードコネクタの提供を目的としてなされたものである。
【課題を解決するための手段】
【００１１】
上述の如き従来の問題を解決し、所期の目的を達成するための請求項1に記載の発明の特徴は、メモリーカードが収容されるカードトレイと、該カードトレイが挿入されるトレイ挿入部を有するハウジングと、前記トレイ挿入部内に突出して前記カードトレイに収容されたメモリーカードの信号端子と接触する複数のコンタクトとを備えてなるトレイ式カードコネクタにおいて、前記カードトレイは、前記メモリーカードが収容されるトレイ本体と、該トレイ本体のトレイ引き出し方向側端部に該トレイ本体に対し引き出し可能に接合させたスライド摘みと、前記トレイ本体より所定の引き出し位置まで引き出された前記スライド摘みに作用するトレイ引き出し方向の力を前記トレイ本体に伝達する伝達手段とを備え、前記トレイ本体より前記所定の引き出し位置まで引き出したスライド摘みを摘まんで前記カードトレイを前記ハウジングより引き出せるようにしたことにある。
【００１２】
請求項２に記載の発明の特徴は、請求項１の構成に加え、前記トレイ本体又は前記スライド摘みの何れか一方の接合端部に他方側に向けて開口した接合凹部を備えるとともに、他方の接合端部に前記接合凹部内に挿入される接合凸部を備え、前記伝達手段は、前記接合凹部又は接合凸部の何れか一方に支持させた棒状の当て止め部材と、他方に該当て止め部材が挿入されるトレイ挿抜方向に向けた長孔状に形成されたスライド孔とをもって構成され、該スライド孔のトレイ挿抜方向端部内縁に前記当て止め部材が当接することにより前記スライド摘みに作用するトレイ引き出し方向の力を前記トレイ本体に伝達するようにしたことにある。
【００１３】
請求項３に記載の発明の特徴は、請求項１又は２の構成に加え、前記スライド摘みは、外縁部に指の爪を引っ掛ける為の引掛け部を備えたことにある。
【００１４】
請求項４に記載の発明の特徴は、請求項１、２又は３の構成に加え、前記スライド摘みは、引き出し方向側端部に電子機器筐体に形成された露出窓を通して該電子機器筐体の外側面に露出される前縁蓋部を一体に備えたことにある。
【００１５】
請求項５に記載の発明の特徴は、請求項４の構成に加え、前記前縁蓋部は、外側縁部に前記露出窓の内縁部と互いに係合する係合部材を備えたことにある。
【００１６】
請求項６に記載の発明の特徴は、前記前縁蓋部及び／又は係合部材は、弾性を有する樹脂材、ゴム材又は金属材をもって形成されたことにある。
【発明の効果】
【００１７】
本発明に係るトレイ式カードコネクタは、上述したように、メモリーカードが収容されるカードトレイと、該カードトレイが挿入されるトレイ挿入部を有するハウジングと、前記トレイ挿入部内に突出して前記カードトレイに収容されたメモリーカードの信号端子と接触する複数のコンタクトとを備えてなるトレイ式カードコネクタにおいて、前記カードトレイは、前記メモリーカードが収容されるトレイ本体と、該トレイ本体のトレイ引き出し方向側端部に該トレイ本体に対し引き出し可能に接合させたスライド摘みと、前記トレイ本体より所定の引き出し位置まで引き出された前記スライド摘みに作用するトレイ引き出し方向の力を前記トレイ本体に伝達する伝達手段とを備え、前記トレイ本体より前記所定の引き出し位置まで引き出したスライド摘みを摘まんで前記カードトレイを前記ハウジングより引き出せるようにしたことにより、プッシュピン等の部材を用いずにカードトレイを容易に引き出すことができ、また、プッシュイン・プッシュアウト機構のような複雑な構成を用いず安価である。
【００１８】
また、本発明において、前記トレイ本体又は前記スライド摘みの何れか一方の接合端部に他方側に向けて開口した接合凹部を備えるとともに、他方の接合端部に前記接合凹部内に挿入される接合凸部を備え、前記伝達手段は、前記接合凹部又は接合凸部の何れか一方に支持させた棒状の当て止め部材と、他方に該当て止め部材が挿入されるトレイ挿抜方向に向けた長孔状に形成されたスライド孔とをもって構成され、該スライド孔のトレイ挿抜方向端部内縁に前記当て止め部材が当接することにより前記スライド摘みに作用するトレイ引き出し方向の力を前記トレイ本体に伝達するようにしたことにより、簡易な構造で好適にスライド摘みを引き出すことができるとともに、スライド摘みに作用するトレイ引き出し方向の力をトレイ本体に伝達することができる。
【００１９】
更に、本発明において、前記スライド摘みは、外縁部に指の爪を引っ掛ける為の引掛け部を備えてなることにより、好適にスライド摘みを引き出すことができる。
【００２０】
更にまた、本発明において、前記スライド摘みは、引き出し方向側端部に電子機器筐体に形成された露出窓を通して該電子機器筐体の外側面に露出される前縁蓋部を一体に備えたことにより、小型のカードコネクタであっても、十分な掴み代を確保することができる。
【００２１】
また、本発明において、前記前縁蓋部は、外側縁部に前記露出窓の内縁部と互いに係合する係合部材を備えてなることにより、自重などでよりスライド摘みが勝手に引き出されるのを防止する。
【００２２】
更にまた、本発明において、前記前縁蓋部及び／又は係合部材は、弾性を有する樹脂材、ゴム材又は金属材をもって形成されたことにより、適当な保持力をもって前縁蓋部を露出窓の内縁部に係合させることができる。
【図面の簡単な説明】
【００２３】
【図１】（ａ）本発明に係るトレイ式カードコネクタの一例を示す平面図、（ｂ）は同底面図である。
【図２】同上の縦断面図である。
【図３】同上のトレイ式カードコネクタの分解斜視図である。
【図４】メモリーカードの一例を示す底面図である。
【図５】（ａ）は図１中のカードトレイを示す底面図、（ｂ）は同縦断面図である。
【図６】（ａ）は図４中のスライド摘みの一例を示す平面図、（ｂ）は同側面図である。
【図７】本発明に係るカードトレイの引き出し動作を説明するためのシールド部材上面を取り除いた状態の平面図であって、（ａ）はハウジングにカードトレイを収容した状態、（ｂ）はスライド摘みを引き出し状態、（ｃ）はハウジングよりカードトレイ全体を引き出し状態である。
【図８】同上のカードトレイの引き出し動作を説明するための縦断面図であって、（ａ）はハウジングにカードトレイを収容した状態、（ｂ）はスライド摘みを引き出し状態、（ｃ）はハウジングよりカードトレイ全体を引き出し状態である。
【発明を実施するための形態】
【００２４】
次に、本発明に係るトレイ式カードコネクタの実施の態様を図１〜図８に示した実施例に基づいて説明する。尚、図中符号１０はトレイ式カードコネクタ、符号Ａはフラッシュメモリーカード等のメモリーカードである。
【００２５】
このトレイ式カードコネクタ１０は、メモリーカードＡを収容するカードトレイ１１と、カードトレイ１１が挿入されるトレイ挿入部１２を有するハウジング１３と、トレイ挿入部１２内に突出してカードトレイ１１に収容されたメモリーカードＡの信号端子ａ１，ａ１...と接触する複数のコンタクト１４とを備え、カードトレイ１１にメモリーカードＡを収容させ、その状態でカードトレイ１１をトレイ挿入部１２に挿入することによりメモリーカードＡの信号端子ａ１，ａ１...がコンタクト１４と弾性的に接触し、メモリーカードＡとプリント配線基板とがコネクタを介して電気的に接続されるようになっている。
【００２６】
メモリーカードＡは、例えば、図４に示す如き小型のフラッシュメモリーカードＡであって、カード全幅に比してカード全長が長い矩形状に形成され、カード全長方向の一方の端部に他の部分に比してカード幅の狭い縮幅部Ａａを有している。
【００２７】
この縮幅部Ａａは、カード幅方向の一方に片寄せて配置され、この縮幅部Ａａの片面にカード全長方向に向けた複数の信号端子ａ１，ａ１...が互いに平行にカード幅方向に並べて配列されている。
【００２８】
また、この一方のメモリーカードＡには、カード全長方向の縮幅部Ａａとは反対側の端部に、信号端子が形成された面とは反対側に盛り上がった形状の拡厚部Ａｂが形成されている。
【００２９】
このメモリーカードＡが収容されるカードトレイ１１は、図５に示すように、メモリーカードＡが収容される平板状のトレイ本体２０と、トレイ本体２０のトレイ引き出し方向側端部に引き出し可能に接合させたスライド摘み５０と、所定の引き出し位置でスライド摘み５０に作用するトレイ引き出し方向の力をトレイ本体２０に伝達する伝達手段とを備えている。
【００３０】
トレイ本体２０は、絶縁性合成樹脂材をもって平板状に形成され、その片面部にメモリーカードＡがその長手方向をトレイ挿入方向に向けて収容されるカード収容部２２が形成されている。
【００３１】
カード収容部２２は、メモリーカードＡの外形状に合わせてトレイ本体２０の片面部を凹ませた形状に形成され、一方のメモリーカードＡが信号端子側面を開口側に向けて収容されるようになっている。
【００３２】
即ち、カード収容部２２は、トレイ本体２０のトレイ挿入方向奥側部にメモリーカードＡの縮幅部Ａａが嵌め込まれる縮幅凹部２６と、縮幅凹部２６のトレイ引き出し方向側に連続して配置された広幅凹部２７とを連続して備えた形状に形成されている。
【００３３】
また、広幅凹部２７には、拡厚部Ａｂが嵌め込まれる拡厚部用段差部２８が他の部分より一段深い形状に形成され、メモリーカードＡが信号端子側面を開口側に向けて収容された際に、メモリーカードＡがトレイ本体２０に対しフラットな安定した状態で収容されるようになっている。
【００３４】
一方、トレイ本体２０の側面部には、トレイ挿入部１２の両側部に配置された抜け止め片２４と互いに係合する係合凹部２５が形成され、この係合凹部２５に抜け止め片２４の係合突起２４ａが係合することによりトレイ本体２０が高い保持力をもってハウジング１３にロックされ、トレイ本体２０の引き出し方向の移動を規制できるようになっている。
【００３５】
また、トレイ本体２０のトレイ引き出し方向側端部、即ち、スライド摘み５０との接合端部には、スライド摘み５０側に向けて開口した接合凹部５１を備え、この接合凹部５１内にスライド摘み５０に備えられた接合凸部５２が挿入されるようになっている。
【００３６】
接合凹部５１は、トレイ本体２０がそのトレイ引き出し方向側端部のトレイ幅方向に間隔を置いて形成された一対の支持部５３，５３を有することにより、トレイ本体２０のトレイ引き出し方向端部にスライド摘み５０側及び本体厚み側に開口した矩形切欠き状に形成されている。
【００３７】
両支持部５３，５３は、トレイ本体２０の他の部分の板厚に比して厚い形状に形成され、カードトレイ１１をハウジング１３に挿入した際に、支持部５３，５３のトレイ挿入方向側端面がハウジング１３の端面に当て止めされるようになっている。
【００３８】
また、この接合凹部５１には、トレイ引き出し方向側部に、両支持部５３，５３に両端を支持させた棒状の当て止め部材５４が接合凹部５１の互いに対向する内側面間に架け渡した配置に備えられ、この当て止め部材５４が接合凸部５２に形成されたスライド孔５５に挿入されるようになっている。
【００３９】
スライド摘み５０は、図６に示すように、絶縁性合成樹脂材をもって形成され、接合凹部５１内に挿入される接合凸部５２と、接合凸部５２の引き出し方向側端部に配置された前縁蓋部５６とを一体に備えている。
【００４０】
接合凸部５２は、厚みが支持部５３，５３と同じ又はやや薄い直方体状に形成され、そのトレイ挿入方向端部には、他の部分に比して厚みの薄い縮厚挿入部５２ａが形成されている。
【００４１】
縮厚挿入部５２ａは、トレイ本体２０の厚みと同じ又はやや薄く形成され、カードトレイ１１をハウジング１３に挿入した際に、トレイ挿入部１２の開口部に嵌め込まれるようになっている。
【００４２】
また、接合凸部５２には、トレイ幅方向両端面に開口したスライド挿抜方向に長い長孔状のスライド孔５５を備え、このスライド孔５５内に当て止め部材５４が挿入されることにより、トレイ本体２０にスライド摘み５０が引き出し可能に接合されている。
【００４３】
即ち、スライド摘み５０は、図７（ａ）に示す通常位置、即ち、接合凸部５２を接合凹部５１のトレイ挿入方向奥側まで挿入させた位置と、図７（ｂ）（ｃ）に示す所定の引き出し位置、即ちトレイ本体２０に支持された当て止め部材５４がスライド孔５５のトレイ挿入方向端部内縁５５ａに当て止めされる位置との間でスライド移動することができるようになっている。
【００４４】
また、所定の引き出し位置、即ちトレイ本体２０に支持された当て止め部材５４にスライド孔５５のトレイ挿入方向端部内縁５５ａが当て止めされる位置では、当て止め部材５４とスライド孔５５のトレイ挿入方向端部内縁５５ａとが伝達手段を構成し、スライド摘み５０にトレイ引き出し方向の力が作用すると、スライド孔５５のトレイ挿入方向端部内縁５５ａが当て止め部材５４をトレイ引き出し方向に向けて押圧し、それにより当て止め部材５４を介してトレイ本体２０にスライド摘み５０に作用するトレイ引き出し方向の力が伝達されるようになっている。
【００４５】
前縁蓋部５６は、接合凸部５２の引き出し方向側端部と一体に形成されたトレイ幅方向に長い細長板状の水平梁部５７と、水平梁部５７のトレイ引き出し方向側に配置された薄板状の蓋本体５８とを備え、トレイ式カードコネクタ１０が電子機器に取り付けられた際に、この蓋本体５８のトレイ引き出し方向側表面が電子機器筐体Ｃに形成された露出孔５９を通して筐体外側面に露出されるようになっている。
【００４６】
蓋本体５８は、水平梁部５７のトレイ引き出し方向側端面より大きく形成され、水平梁部５７のトレイ引き出し方向側端面に片面を一体に支持させて水平梁部５７に対し鍔状に張り出した形状に形成されている。
【００４７】
この蓋本体５８の下縁部には、トレイ挿入方向側に向けて傾斜した切欠き状の引掛け部６０を備え、スライド摘み５０をトレイ本体２０から引き出す際に、蓋本体５８の縁部に人体の指の爪等が引っ掛け易いようになっている。
【００４８】
また、前縁蓋部５６の両側部、即ち、蓋本体５８のトレイ挿入方向側の水平梁部５７の両端部には、電子機器筐体Ｃに形成された露出孔５９の内側縁と係合する係合部材６１が一体又は一体的に備えられ、自重等により前縁蓋部５６が引き出されるのを防止するようになっている。
【００４９】
尚、この係合部材６１と露出孔５９内側縁との係合による保持力は、抜け止め片２４とトレイ本体２０との係合による保持力に比して小さくなっている。
【００５０】
この係合部材６１は、外側端部が円弧状に膨らんだ形状の突出部を一体に備え、この突出部が蓋本体５８の外側縁より外側に突出するように配置されている。
【００５１】
尚、前縁蓋部５６は、前記合成樹脂材の他、ゴム材等の弾性材をもって構成してもよく、また、係合部材６１を、弾性を有する樹脂材、ゴム材又は金属材をもって形成し、インサート成形やその他の方法により前縁蓋部５６に一体化させるようにしてもよい。
【００５２】
ハウジング１３は、絶縁性合成樹脂材によってモールド成形されたモールドケース３１と、その上面及び側面を覆うように組み込まれたシールドカバー３２とから構成されており、モールドケース３１の上面にトレイ挿入部１２がモールドケース３１の上面を凹ませた形状に形成され、その上面部をシールドカバー３２によって覆っている。
【００５３】
モールドケース３１には、コンタクト１４，１４...がインサート成形によりモールドケース３１に一体的に組み込まれ、トレイ挿入部１２のトレイ挿入方向奥側にメモリーカードＡの片面に配置された信号端子ａ１，ａ１...と接触する複数のコンタクト１４，１４...がコネクタ幅方向に間隔を置いた平行配置に備えられている。
【００５４】
尚、図中符号３３は、トレイ挿入部１２底部のトレイ挿入方向奥側に底板厚み方向に貫通したトレイ幅方向に長い形状に形成された横向き回避窓である。
【００５５】
一方、シールドカバー３２は、導電性金属板材を打ち抜き・折り曲げ加工することにより形成され、平板状の天板部３５と、天板部３５の両側部をモールドケース３１側に向けて折り曲げた形状の側板部３６，３６とを備えている。
【００５６】
天板部３５の両側部には、切り出し・折り曲げ加工により抜け止め片２４，２４が形成され、シールドカバー３２をモールドケース３１に組み込むことにより、両抜け止め片２４，２４がトレイ挿入部１２の両側部に配置されるようになっている。
【００５７】
抜け止め片２４は、折り目部２４ｂを残してトレイ挿抜方向に長い細長く形状に切り出し、それを折り目部２４ｂよりハウジング１３内部側に折り曲げた形状に形成され、折り目部２４ｂを基点にしてトレイ挿入方向奥側がコネクタ幅方向に弾性変形できるようになっている。
【００５８】
また、抜け止め片２４には、折り曲げ加工により内側に突出した円弧状の係止突部２４ａが形成され、カードトレイ１１がハウジング１３のトレイ挿入部１２に挿入された際に、所定の挿入位置において係止突部２４ａがトレイ本体２０の係合凹部２５と互いに係合することにより、ハウジング１３に対するトレイ本体２０のトレイ挿抜方向の移動を規制し、それにより電子機器の落下等による衝撃が生じてもカードトレイ１１がハウジング１３より抜け出ないようになっている。
【００５９】
コンタクト１４，１４...は、弾性を有する導電性金属板材を打ち抜き・折り曲げ加工することにより形成され、モールドケース３１に固定される固定片部４０と、固定片部４０にカードトレイ１１挿抜方向に向けて支持させた弾性接触片部４１とを一体に備えている。
【００６０】
固定片部４０は、インサート成形によりモールドケース３１底部に一体的に組み込まれ、横向き回避窓３３のトレイ挿入方向で互いに対抗する内縁面間に架け渡した配置に固定されるようになっている。
【００６１】
また、コンタクト１４には、固定片部４０と連続配置にトレイ挿入方向に延出した形状の接続端子片部４２が一体に形成され、この接続端子片部４２の先端部がハウジング１３底面に露出して、プリント配線基板に形成された接続パターンに半田付けにより固着されるようになっている。
【００６２】
弾性接触片部４１は、横向き回避窓３３の内縁より突出した固定片部４０の縁部よりコネクタ挿入方向奥側且つシールドカバー３２側に向けて傾斜した形状に形成され、その先端部に円弧状の接点部４１ａが形成されている。
【００６３】
次に、このように構成されたトレイ式カードコネクタ１０のトレイ引き出し動作及び挿入動作について図７〜図８について説明する。図中符号Ｃはスマートフォン等の電子機器の筐体、符号Ｄは電子機器に搭載されたプリント配線基板である。
【００６４】
この電子機器筐体Ｃには、トレイ式カードコネクタ１０が取り付けられる所望の位置に合わせて、トレイ式カードコネクタ１０の前縁蓋部５６を露出させる露出孔５９が形成されている。
【００６５】
この露出孔５９は、筐体外側開口縁部に凹状の段差部７０を備え、この段差部７０にカードトレイ１１の蓋本体５８が嵌り込み、通常位置において蓋本体５８が電子機器筐体Ｃの外側面と略同一平面上に露出されるようになっている。
【００６６】
また、段差部７０の下縁部には、段差部７０の他の部分より深く凹んだ形状の爪導入部７１が形成され、この爪導入部７１を通して、蓋本体５８の下縁部に指の爪が引っ掛けられるようになっている。
【００６７】
このトレイ式カードコネクタ１０は、所定の挿入位置において、図７（ａ），図８（ａ）  に示すように、カードトレイ１１がハウジング１３のトレイ挿入部１２に挿入され、前縁蓋部５６が電子機器筐体Ｃに形成された露出孔５９を通して筐体外側面に露出した状態にある。
【００６８】
この状態よりカードトレイ１１を引き出すには、まず、図７（ａ）〜（ｂ）、図８（ａ）〜（ｂ）に示すように、爪導入部７１を通して蓋本体５８の上縁部に指の爪を引っ掛け、その状態でスライド摘み５０をトレイ引き出し方向に引っ張る。
【００６９】
その際、トレイ本体２０は、係合凹部２５が抜け止め片２４と互いに係合してハウジング１３に高い保持力で保持されているとともに、トレイ本体２０に対しスライド摘み５０が引き出し可能な状態にあるので、スライド摘み５０のみが小さな引き出し力で電子機器筐体Ｃより引き出される。
【００７０】
そして、スライド摘み５０を当て止め部材５４にガイドさせつつスライド移動させ、所定の引き出し位置、即ち、スライド孔５５のトレイ挿入方向側端内縁５５ａが当て止め部材５４に当て止めされる位置まで引き出すと、スライド摘み５０に２本の指で摘むのに十分な摘み代が確保される。
【００７１】
そして、スライド摘み５０を２本の指で摘まむことにより、より強いトレイ引き出し方向力をスライド摘み５０に作用させることができ、また、スライド摘み５０に引き出し力を作用させると、伝達手段を構成するスライド孔５５のトレイ挿入方向端部内縁５５ａが当て止め部材５４をトレイ引き出し方向に向けて押圧し、それにより当て止め部材５４を介してトレイ本体２０にスライド摘み５０に作用するトレイ引き出し方向の力が伝達される。
【００７２】
図７（ｂ）〜（ｃ）、図８（ｂ）〜（ｃ）に示すように、この状態でスライド摘み５０を２本の指で摘まんで一定以上の引き出し力、即ち、トレイ本体２０とハウジング１３に対する保持力を上回る力を作用させると、抜け止め片２４，２４が弾性変形して保持力が解除され、トレイ本体２０がトレイ挿入部１２より引き出すことにより、プッシュピン等を使用せずに容易にカードトレイ１１をハウジング１３及び電子機器筐体Ｃより引き出すことができる。
【００７３】
一方、カードトレイ１１をハウジング１３に挿入する際には、蓋本体５８表面部を指等でトレイ挿入方向に向けて押すと、接合凸部５２が接合凹部５１内に嵌り込み、スライド摘み５０がトレイ本体２０と一体化されるのでカードトレイ１１全体を一体的に押し込むことができ、カードトレイ１１の側縁部が抜け止め片２４，２４を押し広げつつ挿入され、所定の通常位置に達すると抜け止め片２４，２４が弾性復帰して係合凸部２４ａが係合凹部２５に嵌り込みトレイ本体２０がハウジング１３にロックされるとともに、前縁蓋部５６の係合部材６１が露出孔５９内縁と互いに係合し、蓋本体５８が電子機器筐体Ｃの外側面と略同一の平面上に露出される。
【００７４】
尚、上述の実施例では、スライド摘みに前縁蓋部全体を一体に備えた例について説明したが、前縁蓋部の一部のみを一体に備えたものであってもよい。
【００７５】
また、上述の実施例では、トレイ本体に接合凹部を、スライド摘みに接合凸部をそれぞれ備えた例について説明したが、トレイ本体に接合凸部を、スライド摘みに接合凹部をそれぞれ備えたものであってもよく、また、接合凸部に当て止め部材を支持させ、接合凹部の両支持部にトレイ挿抜方向に長いスライド孔を設けるようにしてもよい。
【符号の説明】
【００７６】
Ａ  メモリーカード
１０  トレイ式カードコネクタ
１１  カードトレイ
１２  トレイ挿入部
１３  ハウジング
１４  コンタクト
２０  トレイ本体
２１  前縁蓋部５６
２２  カード収容部
２４  抜け止め片
２５  係合凹部
２６  縮幅凹部
２７  広幅凹部
２８  段差部
３１  モールドケース
３２  シールドカバー
３３  回避窓
３５  天板部
３６  側板部
４０  固定片部
４１  弾性接触片部
４２  接続端子片部
５０  スライド摘み
５１  接合凹部
５２  接合凸部
５３  支持部
５４  当て止め部材
５５  スライド孔
５６  前縁蓋部
５７  水平梁部
５８  蓋本体
５９  露出孔
６０  引掛け部
６１  係合部材
７０  段差部
７１  爪導入部
【図１】
0005488846.tif 000002
【図２】
0005488846.tif 000003
【図３】
0005488846.tif 000004
【図４】
0005488846.tif 000005
【図５】
0005488846.tif 000006
【図６】
0005488846.tif 000007
【図７】
0005488846.tif 000008
【図８】
0005488846.tif 000009